(57)【要約】【課題】前段増幅部の出力端子をゼロ電位に保持するゼロ電位回路を採用することにより、前記前段増幅部の出力点においてＤＣ遮断のためのカップリングコンデンサやトランスを用いずに信号伝達を可能にした真空管アンプの出力回路を提供する。【解決手段】入力信号を第１真空管を用いて増幅する前段増幅部と、前記前段増幅部の出力信号を第２真空管を用いて電力増幅して外部に出力する出力増幅部と、を含む真空管アンプの出力回路において、前記前段増幅部真空管の負極端子電圧を検出して前記真空管のプレート端子に入力される電圧を調節することにより、負極端子のＤＣ電位をゼロ電位に保持するゼロ電位保持回路と、前記出力増幅部真空管の負極端子のバイアス電圧を入力信号の変化と関係なく一定に保持する可変型自己保持回路と、をさらに含む。【選択図】図３
2008042641.tif 000002
【特許請求の範囲】
【請求項１】
入力信号を第１真空管を用いて増幅する前段増幅部と,
前記前段増幅部の出力信号を第２真空管を用いて電力増幅して外部に出力する出力増幅部と、を含み、
前記第１真空管の負極端子電圧によって前記第１真空管のプレート端子に入力される電圧を調節して前記第１真空管の負極端子のＤＣ電位をゼロ電位に保持するゼロ電位保持回路と、
前記第２真空管の負極端子のバイアス電圧を入力信号の変化と関係なく一定に保持する可変型自己保持回路と、をさらに含んでなることを特徴とする真空管アンプの出力回路。
【請求項２】
前記前段増幅部は、
信号入力端子がグリッド（Ｇ１１）端子に接続され、負極端子（Ｋ１１）が出力点（Ｎ１１）に接続された第１真空管（１１）と、
前記第１真空管（１１）の負極端子（Ｋ１１）に電圧Ｖ３（−）を印加するための抵抗（Ｒ１１）と、
前記第１真空管（１１）のプレート（Ｐ１１）端子に電圧Ｖ１（＋）を印加するための抵抗（Ｒ１２）と、
前記第１真空管の負極端子の電圧に基づいて、前記電圧Ｖ１（＋）を前記抵抗Ｒ１２と分圧させるための分圧用抵抗（Ｒ１７）の接続／短絡を所定の時定数で連続的に制御し、この制御によって前記第１真空管の負極端子のＤＣ電位をゼロ電位に保持するゼロ電位保持回路１２と、
前記第１真空管のプレート端子と接地端子（Ｅ）との間に接続された第１平滑用コンデンサ（Ｃ１１）及び、前記接地端子（Ｅ）と前記電圧Ｖ３（−）端子との間に接続された第２平滑用コンデンサ（Ｃ１２）と、からなることを特徴とする請求項１に記載の真空管アンプの出力回路。
【請求項３】
前記ゼロ電位保持回路（１２）は,
前記第１真空管プレート端子に接続された分圧用抵抗（Ｒ１７）と、
前記分圧用抵抗（Ｒ１７）が出力端（−）に接続された電力増幅器（Ｕ１２）と、
前記第１真空管の負極端子（Ｋ１１）の電圧を分圧抵抗（Ｒ１３，Ｒ１７）及び時定数用コンデンサ（Ｃ１３）を介して非反転入力端子（＋）に入力し、差動増幅器（Ｕ１１）の出力端子の電圧を分圧用抵抗（Ｒ１４，Ｒ１５）及び時定数用コンデンサ（Ｃ１４）を介して反転入力端子に入力し、差動増幅器（Ｕ１１）の出力端子が前記電力増幅器（Ｕ１２）の入力端（＋）に接続された差動増幅器（Ｕ１１）と、からなることを特徴とする請求項２に記載の真空管アンプの出力回路。
【請求項４】
前記出力増幅部の可変型自己バイアス回路（２２）は、
前記第２真空管（２１）の負極端子（Ｋ２１）の出力を二つの抵抗によって分圧して非反転入力端子（＋）に印加し、ツェナーダイオード（ＺＤ２１）によって設定された基準電圧を反転入力端子（−）に入力する差動増幅器（Ｕ１）と、
前記差動増幅器（Ｕ１）の出力端子が入力端子（＋）に接続され、前記真空管の負極Ｋ２端子が抵抗（Ｒ２３）を介して出力端子（−）に接続される電力増幅器（Ｕ２）と、
前記第２真空管（２１）の負極（Ｋ２）端子とグラウンド端子（Ｅ）との間に接続されて波高値を平滑化する平滑用コンデンサ（Ｃ２１）と、を含んでなることを特徴とする請求項１に記載の真空管アンプの出力回路。
【請求項５】
増幅用真空管のグリッド端子に入力信号を印加し、前記真空管のプレート端子に第１抵抗を介して第１電圧を印加し、前記真空管の負極端子に第２抵抗を介して第２電圧を印加し、前記入力信号を増幅して前記負極端子に接続された出力点を介して入力信号を増幅して出力する真空管アンプの増幅回路において、
前記第１電圧を前記第１抵抗と分圧して前記プレート端子に印加するための分圧用抵抗（Ｒ１７）と、
前記分圧用抵抗（Ｒ１７）が出力端（−）に接続され、入力端（＋）の電圧によって前記分圧用抵抗（Ｒ１７）の接続／短絡を制御する電力増幅器（Ｕ１２）と、
前記真空管の負極端子（Ｋ１１）の電圧を分圧抵抗（Ｒ１３，Ｒ１７）及び時定数用コンデンサ（Ｃ１３）を介して非反転入力端子（＋）に入力し、自体の出力端子の電圧を分圧用抵抗（Ｒ１４，Ｒ１５）及び時定数用コンデンサ（Ｃ１４）を介して反転入力端子に入力して、差動増幅によって前記電力増幅器（Ｕ１２）の入力端（＋）の電圧を連続的に制御して前記負極端子のＤＣ電位をゼロ電位に収斂させる差動増幅器（Ｕ１１）と、からなることを特徴とする真空管アンプの出力回路。
【請求項６】
真空管のグリッド（Ｇ２１）端子に入力信号を印加してプレート（Ｐ２１）端子を介して増幅出力する真空管アンプの出力バッファ自己バイアス回路において、
真空管（２１）の負極（Ｋ２１）端子の出力を二つの抵抗（Ｒ２１，Ｒ２２）によって分圧して非反転入力端子（＋）に印加し、ツェナーダイオード（ＺＤ２１）によって設定された基準電圧を反転入力端子（−）に入力する差動増幅器（Ｕ２１）と、
前記差動増幅器（Ｕ２１）の出力端子が入力端子（＋）に接続され、前記真空管（２１）の負極（Ｋ２１）端子がバイアス用抵抗（Ｒ２３）を介して出力端子（−）に接続された電力増幅器（Ｕ２２）と、
前記真空管の負極（Ｋ２１）端子とグラウンド端子（Ｅ）との間に接続されて波高値を平滑化する平滑用コンデンサ（Ｃ２１）と、を含んでなることを特徴とする真空管アンプ出力回路の可変型自己バイアス回路。
【発明の詳細な説明】
【技術分野】
【０００１】
本発明は、真空管アンプの出力回路に関し、特に、真空管増幅器のＥ端子と出力端子との間の電位をゼロ電位に保持することにより、カップリングコンデンサやトランスを用いずに増幅された信号を出力することができ、出力端の真空管の負極の電圧を可変型自己バイアスによって一定に保持することにより、入力信号の上昇時、出力は負極の影響を受けずに入力信号の上昇に比例することで直線性を保持し、出力上昇効果及びひずみ率改善効果を得ることができるようにした真空管アンプの出力回路に関する。
【背景技術】
【０００２】
半導体素子の利点にもかかわらず真空管を用いたオーディオ増幅器アンプが音楽愛好家にとって相変わらず人気がある。真空管が半導体よりも音質特性に優れていることがその理由である。
【０００３】
図１は、従来の一般的な真空管アンプの出力回路図である。
同図に示すように、従来の真空管アンプの出力回路は、増幅部と、出力バッファ部とからなる。前記増幅部は、真空管１のグリッドＧに入力信号を入力し、プレートＰに電圧Ｖ１を入力して、増幅された信号を負極Ｋを介して出力する。前記真空管１の負極Ｋにはバイアス用抵抗Ｒ１とカカップリングコンデンサＣ１とが接続され、カップリングコンデンサＣ１を介して出力点Ｎ１に増幅された信号を出力するようになる。
【０００４】
ここで、多段増幅器の場合、前記真空管１と同じ構成を多段並列接続したものであり、各真空管ごとに負極にはバイアス抵抗とカップリングコンデンサをそれぞれ別途に接続して出力点Ｎ１を共通にして並列接続する。図１では、一つの真空管についてのみ説明する。
【０００５】
そして、前記出力バッファ部は、前記増幅部の出力点Ｎ１の信号を真空管２のグリッドＧ１に入力し、プレートＰ１の出力をスピーカー４に出力し、負極Ｋ１には抵抗Ｒ２とＡＣバイパス用コンデンサＣ２を並列接続して自己バイアス回路５を構成する。
【０００６】
先ず、前記増幅部について説明する。
【０００７】
真空管１の増幅された信号を出力するためには必ず真空管の負極Ｋ端に直流遮断用カップリングコンデンサＣ１を用いるか、または、直流を遮断するためにトランスを用いる必要がある。一般的な方式によれば、増幅部の真空管１のプレート電圧Ｖ１の１／２に等分された電圧が真空管１の負極Ｋに設定されるように抵抗Ｒ１値を設定する。後段増幅器に直接接続した場合、ＤＣ（＋）ボルトとなっているから、ＤＣは遮断し、ＡＣ信号のみを通過させるために、カップリングコンデンサＣ１またはトランスを必ず用いなければならないという欠点がある。
【０００８】
一方、前記出力バッファ部は、真空管２の負極Ｋ１に数百〜数千Ωの抵抗Ｒ２を接続する。該抵抗による電圧降下を利用して真空管にバイアス電圧を印加する方式、すなわち、自己バイアス方式が採用される。
【０００９】
図２は、従来の真空管の自己バイアス増幅回路の入力信号に対する負極及び出力の特性図である。図１のような自己バイアス回路では、グリッドＧ１に印加される電圧が上昇すれば、上昇に比例して負極Ｋ１の電流が上昇する。このとき、負極Ｋ１の設定された抵抗値により、電流に比例（正比例）して電圧が上昇する。この場合、負極Ｋ１の基本電流値による電圧とこの場合のグリッドＧ１の入力信号電圧は、真空管の増幅率によって良好な状態で正比例して上昇するが、前記負極Ｋ１の基本電流値による電圧とこの場合のグリッドＧ１の入力信号電圧を超えた電圧を有する入力信号が印加されるときは、負極Ｋ１の電圧の上昇によってグリッドＧ１の入力電圧がその負極Ｋ１の電圧の上昇分だけ減衰する。これにより、入力と出力（増幅率）が良好な直線性を示すことができず、図２に示すような非直線性を示すという欠点がある。
【発明の開示】
【発明が解決しようとする課題】
【００１０】
したがって、本発明は、上記問題点に鑑みてなされたものであり、その目的は、前段増幅部の出力端子をゼロ電位に保持するゼロ電位回路を採用することにより、前記前段増幅部の出力点においてＤＣ遮断のためのカップリングコンデンサやトランスを用いずに信号伝達を可能にした真空管アンプの出力回路を提供することにある。
【００１１】
また、本発明の目的は、真空管アンプの出力増幅端からグリッドに印加される入力信号電力の高低に関係なく真空管の負極に設定された電圧を保持することができる真空管アンプの可変型自己バイアス回路を提供することにある。
【課題を解決するための手段】
【００１２】
本発明による真空管アンプの出力回路は、入力信号を第１真空管を用いて増幅する前段増幅部と、前記前段増幅部の出力信号を第２真空管を用いて電力増幅して外部に出力する出力増幅部と、を含み、前記第１真空管の負極端子電圧によって前記第１真空管のプレート端子に入力される電圧を調節することにより、前記第１真空管の負極端子のＤＣ電位をゼロ電位に保持するゼロ電位保持回路と、前記第２真空管の負極端子のバイアス電圧を入力信号の変化と関係なく一定に保持する可変型自己保持回路と、をさらに含む。
【００１３】
前記前段増幅部は、信号入力端子がグリッド端子に接続され、負極端子が出力点Ｎ１１に接続された第１真空管と、前記第１真空管の負極端子に電圧Ｖ３（−）を印加するための抵抗Ｒ１１と、前記第１真空管のプレート端子に電圧Ｖ１（＋）を印加するための抵抗Ｒ１２と、前記第１真空管の負極端子の電圧に基づいて、前記電圧Ｖ１（＋）を前記抵抗Ｒ１２と分圧させるための分圧用抵抗の接続／短絡を所定の時定数で連続制御し、その制御によって前記第１真空管の負極端子のＤＣ電位をゼロ電位に保持するゼロ電位保持回路と、前記第１真空管のプレート端子と接地端子Ｅとの間に接続された第１平滑用コンデンサ及び、前記接地端子Ｅと前記電圧Ｖ３（−）端子との間に接続された第２平滑用コンデンサと、からなる。
【００１４】
前記ゼロ電位保持回路は、前記第１真空管プレート端子に接続された分圧用抵抗と、前記分圧用抵抗が出力端に接続された電力増幅器と、前記第１真空管の負極端子の電圧を分圧抵抗及び時定数用コンデンサを介して非反転入力端子（＋）に入力し、差動増幅器の出力端子の電圧を分圧用抵抗及び時定数用コンデンサを介して反転入力端子に入力し、差動増幅器の出力端子が前記電力増幅器の入力端子に接続された差動増幅器と、からなる。
【００１５】
前記出力増幅部の可変型自己バイアス回路は、前記第２真空管の負極端子の出力を二つの抵抗によって分圧して非反転入力端子（＋）に印加し、ツェナーダイオードＺＤ２１によって設定された基準電圧を反転入力端子（−）に入力する差動増幅器と、該差動増幅器の出力を入力端子（＋）に入力し、前記真空管の負極端子の出力を抵抗を介して出力端子（−）に入力する電力増幅器と、前記第２真空管の負極端子とグラウンド端子Ｅとの間に接続されて波高値を平滑化する平滑用コンデンサと、を含む。
【００１６】
前記ゼロ電位保持回路は、本発明の実施の形態のように前段増幅器と出力増幅部が接続された回路に用いることもできるが、これに限定されるものではなく、真空管を利用した増幅回路において、出力端にＡＣカップリングコンデンサやトランスフォーマーを用いる必要がある回路に、カップリングコンデンサやトランスフォーマーを用いずに、ＡＣ信号を出力するために用いることもできる。
【００１７】
また、前記可変型自己バイアス回路は、本発明の実施形態と関係なく真空管を用いた電力増幅出力回路において、出力端のバイアスを一定の固定電圧に保持することにより、安定した出力特性を得ることができる回路への適用が可能になる。
【発明の効果】
【００１８】
本発明は、真空管オーディオアンプにおいて、前段増幅部の真空管の負極端子の電位をゼロ電位に保持することにより、ＡＣカップリング手段を用いずにもＡＣ信号を伝達することができる。また、出力増幅部の真空管の負極端子の自己バイアスを自動的に一定の固定値に保持することにより、負極の影響を受けずに入力信号に正比例する出力を得ることができ、このような良好な直線性出力によって出力上昇効果及びひずみ率改善効果を得ることができる。
【発明を実施するための最良の形態】
【００１９】
以下、本発明による実施形態を添付図面を参照して詳細に説明する。
【００２０】
図３は、本発明による真空管アンプの出力回路図である。
【００２１】
本発明による真空管アンプの出力回路は、入力信号を真空管を用いて増幅する前段増幅部１０と、該前段増幅部１０の出力信号を真空管を用いて電力増幅して外部へ出力する出力増幅部２０と、を含む。
【００２２】
また、前記真空管アンプの出力回路は、 前記前段増幅部１０の増幅用第１真空管１１の負極端子Ｋ１１電圧に基づいて、前記第１真空管１１のプレート端子Ｐ１１に入力される電圧を調節して、負極端子Ｋ１１のＤＣ電位をゼロ電位に保持するゼロ電位保持回路１２と、前記出力増幅部２０の電力増幅用第２真空管２１の負極端子Ｋ２１のバイアス電圧を入力信号の変化と関係なく自己保持回路を用いて一定に保持する可変型自己保持回路２２と、をさらに含む。
【００２３】
前記前段増幅部１０は、増幅用真空管１１のグリッドＧ１１端子に信号入力を受け、前記真空管１１のプレートＰ１１端子に抵抗Ｒ１２を介してＶ１（＋）電圧を印加する。前記真空管１１の負極Ｋ１１端子に抵抗Ｒ１１を介してＶ３（−）電源を印加する。前記真空管１１の負極Ｋ１１端子と前記真空管１１のプレートＰ１１端子との間にゼロ電位保持回路１２を接続する。
【００２４】
前記ゼロ電位保持回路１２は、前記真空管１１の負極端子の電圧を検出して、前記真空管１１のプレートＰ１１端子に印加される電圧を分圧して調節する。また、前記真空管１１のプレート端子に印加される電圧Ｖ１（＋）を分圧するための分圧用抵抗Ｒ１７を接続／短絡させる。さらに、前記ゼロ電位保持回路１２は、前記分圧用抵抗Ｒ１７の接続／短絡が所定の時定数によって繰り返されることで真空管１１の負極Ｋ１１端子のＤＣ電位をゼロ電位に保持できるように構成される。
【００２５】
前記プレートＰ１１端子と接地端子Ｅとの間に第１平滑用コンデンサＣ１１を接続し、前記接地端子Ｅと前記Ｖ１-入力端子との間に第２平滑用コンデンサＣ１２を接続して、リップル電圧の平滑化を図る。
【００２６】
前記ゼロ電位保持回路１２は、図４に示すように、先ず、前記真空管１１のプレートＰ１１端子を抵抗Ｒ１７を介して電力増幅器Ｕ１２の出力端子（−）に接続する。前記真空管１１の負極Ｋ１１端子を分圧用抵抗Ｒ１３，Ｒ１６及び時定数用コンデンサＣ１３によって基準電圧で差動増幅器Ｕ１１の非反転入力端子（＋）に接続する。前記差動増幅器Ｕ１１の自己出力を分圧抵抗Ｒ１５，Ｒ１４及び時定数用コンデンサＣ１４を介して反転入力端子（−）に接続する。最後に、前記差動増幅器Ｕ１１の出力端を前記電力増幅器Ｕ１２の入力端（＋）に接続する。すなわち、ゼロ電位保持回路１２は、前記真空管の負極端子の電圧に基づいて前記真空管プレート端子の電圧を抵抗Ｒ１２，Ｒ１７によって分圧させて調節する。これにより、前記負極Ｋ１１端子と接地端子Ｅとの間をゼロ電位に保持する。
【００２７】
また、本発明による真空管アンプの可変型自己バイアス回路は、図３に示すように、真空管２１のグリッドＧ２１端子を前記前段増幅部１０の出力点Ｎ１１に接続して入力信号を印加し、前記真空管２１のプレートＰ２１端子を介して増幅出力する。前記回路は、前記真空管２１の負極Ｋ２１端子の出力を二つの抵抗Ｒ２１，Ｒ２２によって分圧して非反転入力端子（＋）に印加し、ツェナーダイオードＺＤ２１によって設定された基準電圧を反転入力端子（−）に入力される差動増幅器Ｕ２１と、該差動増幅器Ｕ２１の出力を入力端子（＋）に入力され、前記真空管２１の負極Ｋ２１端子の出力をバイアス用抵抗Ｒ２３を介して出力端子（−）に入力される電力増幅器Ｕ２２と、前記真空管２１の負極Ｋ２１端子とグラウンド端子Ｅとの間に接続されて波高値を平滑化する平滑用コンデンサＣ２１と、を含む。
【００２８】
このように構成された本発明は、前段増幅部１０にゼロ電位保持回路１２を含み、出力増幅部２０に自己バイアス回路２２を含む。
【００２９】
従来の真空管増幅部では、増幅されたＡＣ信号を出力するためにカップリングコンデンサを必ず使用する必要がある。しかし、本発明では、前段増幅部１０の真空管１１の負極Ｋ１１電位をゼロ電位に保持することにより、ＡＣカップリング手段なしにＡＣ信号出力が可能になる。
【００３０】
図３及び図４を参照してその動作を説明する。図３に示すように、例えば、真空管１１のプレートＰ１１に抵抗Ｒ１２を介してＶ１（＋）２５０を印加し、前記真空管１１の負極Ｋ１１側に抵抗Ｒ１１を介してＶ３（−）２００Ｖを印加する。もし、ゼロ電位(zero volt)方式を用いなければ、図３における真空管１１の負極Ｋ１１端子の電位ＶＴは５０Ｖになる。しかし、本発明によってゼロ電位保持回路１２を動作させ、前記プレートＰ１１に入力される電圧（＋）２５０Ｖを、前記抵抗Ｒ１２とゼロ電位保持回路１２内の分圧用抵抗Ｒ１７によって分圧された電圧（＋）２００が印加されるように調整する。このため、前記真空管１１の負極Ｋ１１端子の電位をゼロ電位にする。真空管や各種部品等の誤差等が原因でゼロボルトを保持し続けることは不可能である。よって、本発明では、これを安定的に保持するためにゼロ電位保持回路１２を構成したのである。
【００３１】
ゼロ電位保持回路１２では、真空管１１の負極Ｋ１１端子から検出された電圧が抵抗Ｒ１３，Ｒ１６によって分圧されて差動増幅器Ｕ１１の非反転入力端子（＋）に入力される。この際、差動増幅器Ｕ１１の出力がハイ(HIGH)になると、電力増幅器Ｕ１２の入力端子（−）はロー(LOW)になり、同時に抵抗Ｒ１７が分圧抵抗として動作する。すなわち、抵抗Ｒ１２と抵抗Ｒ１７によって電圧Ｖ１（＋）２５０Ｖが分圧されてプレートＰ１１に印加される。
【００３２】
前記差動増幅器Ｕ１１の出力がハイになると、ハイ信号が抵抗Ｒ１５，Ｒ１４によって分圧され、非反転入力端子（＋）の電位よりも高い電圧が差動増幅器Ｕ１１の反転入力端子（−）に印加される。このとき、時定数用コンデンサＣ１４によって遅延されて分圧電圧が反転入力端子（−）に印加され、差動増幅器Ｕ１１の出力がハイからローに変わる。
【００３３】
差動増幅器Ｕ１１の出力がローになると、電力増幅器Ｕ１２の入力端がローになり、出力端（−）がハイになる。これにより、抵抗Ｒ１７は短絡状態になる。よって、前記電圧Ｖ１（＋）２５０Ｖは、抵抗Ｒ１２を介して真空管１１のプレートＰ１１に印加される。
【００３４】
再び、差動増幅器Ｕ１１の出力が変わり、抵抗Ｒ１７の接続及び短絡が繰り返されることでプレートＰ１１電圧が調節され、前記動作が繰り返して行われる。差動増幅器Ｕ１１の時定数によって繰り返される時間差が制御され、プレートと負極にかかるリップル電圧は平滑用コンデンサＣ１１,Ｃ１２によって平滑になる。
【００３５】
結局、ゼロ電位保持回路１２によって真空管１１のプレートＰ１１電圧を調節して、真空管１１の負極端子Ｋ１１とグラウンドＥとの間の電位は安定的にゼロ電位を保持する。
【００３６】
したがって、前段増幅部１０において増幅用真空管１１の負極Ｋ１１の電位としてゼロ電位を保持することから、出力点Ｎ１１にカップリングコンデンサやトランスを用いずにもＡＣ信号だけが出力可能になる。
【００３７】
一方、前記の如く前段増幅部１０においてカップリング手段を用いずにも出力点Ｎ１１を介して増幅されたＡＶ信号を伝達すると、出力増幅部２０では、真空管の負極端子のバイアス電圧を一定に保持して出力上昇及びひずみ率改善などを図る。
【００３８】
本発明による真空管アンプの自己バイアス回路２２では、真空管２１の負極Ｋ２１電圧が抵抗Ｒ２１と抵抗Ｒ２２によって分圧されて差動増幅器Ｕ２１の非反転入力端子（＋）に入力される。このとき、ツェナーダイオードＺＤ２１によって設定された基準電圧と前記二つの抵抗Ｒ２１，Ｒ２２によって分圧された電圧とが差動増幅器Ｕ２１で比較され、非反転入力端子（＋）の電圧が高い場合、差動増幅器Ｕ１１の出力はハイ（＋）になる。このとき、電力増幅器Ｕ２２の入力端子（＋）側の電圧がハイになるので、電力増幅器Ｕ２２の動作によって前記真空管２１の負極Ｋ２１端子には抵抗Ｒ２３が負荷として作用する。
【００３９】
次いで、前記抵抗Ｒ２３が負荷として作用することから、前記差動増幅器Ｕ２１の非反転入力端子（＋）の電圧は低下し、前記差動増幅器Ｕ２１の出力がロー（−）になると、再び電力増幅器Ｕ２２が反転して抵抗Ｒ２３は短絡状態になり、前記二つの抵抗Ｒ２１，Ｒ２２によって真空管の負極Ｋ２１の電圧が分圧された電圧が差動増幅器Ｕ２１の非反転入力端子（＋）に印加されてハイ出力となり、電力増幅器Ｕ２２によって抵抗Ｒ２３が前記真空管の負極Ｋ２１端子の負荷として作用する。
【００４０】
前記のような作用が連続的に繰り返されることにより、真空管２１の負極Ｋ２１端子の電圧が前記二つの抵抗Ｒ２１，Ｒ２２の設定された電圧値によって固定される。すなわち、差動増幅器Ｕ２１と電力増幅器Ｕ２２の作用によって抵抗Ｒ２３が負荷として作用／短絡が繰り返して行われることになり、このとき、波高値は平滑用コンデンサＣ２１によって平滑になる。よって、真空管２１の負極Ｋ２１のバイアス電圧は固定され、入力信号は出力には影響を与えなくなる。
【００４１】
したがって、前記のような作用によって真空管の出力部の基本電流を例えば５０ｍＡ〜１００ｍＡを印加するとしても、真空管の負極Ｋ２１のバイアス電圧は抵抗Ｒ２１，Ｒ２２によって設定された設定値によって変わらない。
【００４２】
このような本発明は、図５に示したように、グリッドＧ２１の入力電圧が上昇すると、上昇に比例して負極Ｋ２１の電流が上昇する。このとき、抵抗Ｒ２１，Ｒ２２によって負極Ｋ２１の可変作動が行われると、設定された範囲では負極Ｋ２１の電圧が変わらず固定されていることから、設定された限界まではグリッドＧ２１の入力信号の上昇が負極Ｋ２１の影響を受けず、さらに、出力Ｗが入力信号の上昇と正比例することで良好な直線性が得られ、出力上昇（２５％ＵＰ）効果とひずみ率の改善効果を得ることができる。
【図面の簡単な説明】
【００４３】
【図１】従来の一般的な真空管アンプの出力回路図。
【図２】従来の真空管アンプの入力信号対出力の特性図。
【図３】本発明による真空管アンプの出力回路図。
【図４】本発明による真空管アンプのゼロ電位保持回路図。
【図５】本発明による真空管アンプの可変型自己バイアス回路の入力信号対出力の特性図。
【符号の説明】
【００４４】
１０    前段増幅部
２０    出力増幅部
１１、２１    真空管
Ｇ１１、Ｇ２１    真空管のグリッド
Ｐ１１、Ｐ２１    真空管のプレート
Ｋ１１、Ｋ２１    真空管の負極
Ｎ１１    出力点
１２    ゼロ電位保持回路
２２    自己バイアス回路
Ｒ１１〜Ｒ１７，Ｒ２１〜Ｒ２３    抵抗
Ｃ１１〜Ｃ１４、Ｃ２１、Ｃ２２    コンデンサ
ＺＤ２１    ツェナーダイオード
Ｕ１１、Ｕ２１    差動増幅器
Ｕ１２、Ｕ２２    電力増幅器
ＶＴ    ゼロ電位チェック端子  
【図１】
2008042641.tif 000003
【図２】
2008042641.tif 000004
【図３】
2008042641.tif 000005
【図４】
2008042641.tif 000006
【図５】
2008042641.tif 000007